(57)【特許請求の範囲】
【請求項１】
筐体と、
前記筐体に配置され、第１使用周波数帯の信号を送受信する第１アンテナ部と、
前記筐体に配置され、前記第１使用周波数帯よりも高い周波数帯である第２使用周波数帯の信号を送受信する第２アンテナ部と、
前記第１アンテナ部の共振周波数を調整する調整部と、
前記第１使用周波数帯の信号の受信感度に基づいて前記第１アンテナ部のリアクタンス値を特定すると共に、前記特定されたリアクタンス値に基づいて前記第１アンテナ部の高次の共振周波数が前記第２使用周波数帯から離間するように前記調整部により前記第１アンテナ部の共振周波数を調整する制御部とを有し、
前記制御部は、前記第２アンテナ部により前記第２使用周波数帯の信号の受信を行ったときの受信感度が所定値を下回った場合、前記第１アンテナ部の高次の共振周波数が前記第２使用周波数帯から離間するように前記調整部により前記第１アンテナ部の共振周波数を調整する携帯電子機器。
【請求項２】
前記第１アンテナ部を、所定回数よりも少ない周回数である第１の周回数周回する第１のループ部と、前記所定回数から前記第１の周回数を減じて得られる周回数である第２の周回数周回する第２のループ部とに分離する分離部と、
前記第１のループ部と前記第２のループ部の一方に接続され、当該接続された側のループ部から基準周波数の信号を発生させる信号発生部と、
前記第１のループ部と前記第２のループ部の他方に接続され、当該接続されたループ部の電気的特性を検出する検出部を備え、
前記調整部は、前記第１のループ部と前記第２のループ部の他方に接続され、当該接続されたループ部の共振周波数を調整し、
前記制御部は、前記分離部により、前記第１アンテナ部を前記第１のループ部と前記第２のループ部に分離すると共に、前記信号発生部により、前記第１のループ部と前記第２のループ部の一方から基準周波数の信号を発生し、かつ、前記検出部により、前記第１のループ部と前記第２のループ部の他方の電気的特性を検出し、さらに、前記調整部により、前記検出部の検出結果に応じて前記第１のループ部と前記第２のループ部の他方の共振周波数を調整する請求項１記載の携帯電子機器。
【請求項３】
操作を検出する操作検出部を有し、
前記制御部は、前記操作検出部に対して所定の操作が行われると、前記分離部により、前記第１アンテナ部を前記第１のループ部と前記第２のループ部に分離すると共に、前記信号発生部により、前記第１のループ部と前記第２のループ部の一方から基準周波数の信号を発生し、かつ、前記検出部により、前記第１のループ部と前記第２のループ部の他方の電気的特性を検出し、さらに、前記調整部により、前記検出部の検出結果に応じて前記第１のループ部と前記第２のループ部の他方の共振周波数を調整する請求項２記載の携帯電子機器。
【請求項４】
前記制御部は、定期的に、前記分離部により、前記第１アンテナ部を前記第１のループ部と前記第２のループ部に分離すると共に、前記信号発生部により、前記第１のループ部と前記第２のループ部の一方から基準周波数の信号を発生し、かつ、前記検出部により、前記第１のループ部と前記第２のループ部の他方の電気的特性を検出し、さらに、前記調整部により、前記検出部の検出結果に応じて前記第１のループ部と前記第２のループ部の他方の共振周波数を調整する請求項２記載の携帯電子機器。
【請求項５】
前記信号発生部、前記検出部及び前記調整部は、前記第１のループ部と前記第２のループ部の両方に接続可能に構成され、
前記制御部は、前記分離部により、前記第１アンテナ部を前記第１のループ部と前記第２のループ部に分離すると共に、前記信号発生部により、前記第１のループ部と前記第２のループ部の両方から基準周波数の信号を発生し、かつ、前記検出部により、前記第１のループ部と前記第２のループ部の両方の電気的特性を検出し、その後、前記調整部により、前記検出部の検出結果に応じて前記第１のループ部と前記第２のループ部の両方の共振周波数を調整する請求項２乃至請求項４のいずれか一項に記載の携帯電子機器。
【請求項６】
前記制御部は、前記分離部による分離を解除すると共に、前記調整部により、前記検出部により検出された前記第１のループ部と前記第２のループ部の両方の電気的特性に応じて前記第１アンテナ部の共振周波数を調整する請求項５に記載の携帯電子機器。
【請求項７】
前記分離部は、前記第１の周回数と前記第２の周回数が同一となるように、前記第１アンテナ部を前記第１のループ部と前記第２のループ部とに分離する請求項２乃至請求項６のいずれか一項に記載の携帯電子機器。
【請求項８】
前記第１アンテナ部に接続された可変型のコンデンサを備え、
前記制御部は、前記コンデンサの容量を調整することにより、前記第１アンテナ部の高次の共振周波数が前記第２使用周波数帯から離間するように前記調整部により前記第１アンテナ部の共振周波数を調整する請求項１乃至請求項７のいずれか一項に記載の携帯電子機器。
【発明の詳細な説明】
【技術分野】
【０００１】
本発明は、他の端末と通信を行う携帯電子機器に関する。
【背景技術】
【０００２】
現在、機能性向上のために、非接触ＩＣ（Ｉｎｔｅｇｒａｔｅｄ  Ｃｉｒｃｕｉｔ）チップであるＲＦＩＤ（Ｒａｄｉｏ  Ｆｒｅｑｕｅｎｃｙ  Ｉｄｅｎｔｉｆｉｃａｔｉｏｎ）等により外部と通信を行うための第１アンテナ部と、通信及び通話を行うための第２アンテナ部が筐体に内蔵された携帯無線機が増えてきている（例えば、特許文献１参照）。
【０００３】
ところで、第１のアンテナ部と、第２のアンテナ部とは、異なる使用周波数帯域を使用しているが、干渉による影響を抑制するため、両アンテナをできるだけ離して配置する構造が採られている。このため、筐体内のスペースの効率化が困難となり、筐体の小型化等が妨げられる結果になっている。
【０００４】
ここで、第１アンテナ部と第２アンテナ部を内蔵しつつ、第１アンテナ部の高次の副次共振点の影響が第２アンテナ部に影響を与えないように、第１アンテナ部の使用周波数帯である第１の使用周波数帯の高次の副次共振点が、第２アンテナ部の使用周波数帯である第２の使用周波数帯に重ならないように構成する技術が提案されている（特許文献２を参照。）。
【先行技術文献】
【特許文献】
【０００５】
【特許文献１】特開２００４−２２７０４６号公報
【特許文献２】国際公開第２００８／０４１６５２号
【発明の概要】
【発明が解決しようとする課題】
【０００６】
ところで、第１アンテナ部の使用周波数帯（第１使用周波数帯）の高次の副次共振点が、第２アンテナ部の使用周波数帯（第２使用周波数帯）に重ならないようにする新たな構成が望まれている。
【０００７】
本発明は、第１アンテナ部の使用周波数帯の高次の副次共振点が、第２アンテナ部の使用周波数帯に重ならないようにできる新たな構成を提供することを目的とする。
【課題を解決するための手段】
【０００８】
本発明に係る携帯電子機器は、上記課題を解決するために、筐体と、前記筐体に配置され、第１使用周波数帯の信号を送受信する第１アンテナ部と、前記筐体に配置され、前記第１使用周波数帯よりも高い周波数帯である第２使用周波数帯の信号を送受信する第２アンテナ部と、前記第１アンテナ部の共振周波数を調整する調整部と、前記第１使用周波数帯の信号の受信感度に基づいて前記第１アンテナ部のリアクタンス値を特定すると共に、前記特定されたリアクタンス値に基づいて前記第１アンテナ部の高次の共振周波数が前記第２使用周波数帯から離間するように前記調整部により前記第１アンテナ部の共振周波数を調整する制御部とを有する構成である。
【０００９】
また、携帯電子機器では、前記制御部は、前記第２アンテナ部により前記第２使用周波数帯の信号の受信を行ったときの受信感度が所定値を下回った場合、前記第１アンテナ部の高次の共振周波数が前記第２使用周波数帯から離間するように前記調整部により前記第１アンテナ部の共振周波数を調整する構成が好ましい。
【００１０】
また、携帯電子機器では、前記第１アンテナ部を、所定回数よりも少ない周回数である第１の周回数周回する第１のループ部と、前記所定回数から前記第１の周回数を減じて得られる周回数である第２の周回数周回する第２のループ部とに分離する分離部と、前記第１のループ部と前記第２のループ部の一方に接続され、当該接続された側のループ部から基準周波数の信号を発生させる信号発生部と、前記第１のループ部と前記第２のループ部の他方に接続され、当該接続されたループ部の電気的特性を検出する検出部を備え、前記調整部は、前記第１のループ部と前記第２のループ部の他方に接続され、当該接続されたループ部の共振周波数を調整し、前記制御部は、前記分離部により、前記第１アンテナ部を前記第１のループ部と前記第２のループ部に分離すると共に、前記信号発生部により、前記第１のループ部と前記第２のループ部の一方から基準周波数の信号を発生し、かつ、前記検出部により、前記第１のループ部と前記第２のループ部の他方の電気的特性を検出し、さらに、前記調整部により、前記検出部の検出結果に応じて前記第１のループ部と前記第２のループ部の他方の共振周波数を調整する構成が好ましい。
【００１１】
また、携帯電子機器では、操作を検出する操作検出部を有し、前記制御部は、前記操作検出部に対して所定の操作が行われると、前記分離部により、前記第１アンテナ部を前記第１のループ部と前記第２のループ部に分離すると共に、前記信号発生部により、前記第１のループ部と前記第２のループ部の一方から基準周波数の信号を発生し、かつ、前記検出部により、前記第１のループ部と前記第２のループ部の他方の電気的特性を検出し、さらに、前記調整部により、前記検出部の検出結果に応じて前記第１のループ部と前記第２のループ部の他方の共振周波数を調整する構成が好ましい。
【００１２】
また、携帯電子機器では、前記制御部は、定期的に、前記分離部により、前記第１アンテナ部を前記第１のループ部と前記第２のループ部に分離すると共に、前記信号発生部により、前記第１のループ部と前記第２のループ部の一方から基準周波数の信号を発生し、かつ、前記検出部により、前記第１のループ部と前記第２のループ部の他方の電気的特性を検出し、さらに、前記調整部により、前記検出部の検出結果に応じて前記第１のループ部と前記第２のループ部の他方の共振周波数を調整する構成が好ましい。
【００１３】
また、携帯電子機器では、前記信号発生部、前記検出部及び前記調整部は、前記第１のループ部と前記第２のループ部の両方に接続可能に構成され、前記制御部は、前記分離部により、前記第１アンテナ部を前記第１のループ部と前記第２のループ部に分離すると共に、前記信号発生部により、前記第１のループ部と前記第２のループ部の両方から基準周波数の信号を発生し、かつ、前記検出部により、前記第１のループ部と前記第２のループ部の両方の電気的特性を検出し、その後、前記調整部により、前記検出部の検出結果に応じて前記第１のループ部と前記第２のループ部の両方の共振周波数を調整する構成が好ましい。
【００１４】
また、携帯電子機器では、前記制御部は、前記分離部による分離を解除すると共に、前記調整部により、前記検出部により検出された前記第１のループ部と前記第２のループ部の両方の電気的特性に応じて前記第１アンテナ部の共振周波数を調整する構成が好ましい。
【００１５】
また、携帯電子機器では、前記分離部は、前記第１の周回数と前記第２の周回数が同一となるように、前記第１アンテナ部を前記第１のループ部と前記第２のループ部とに分離する構成が好ましい。
【００１６】
また、携帯電子機器では、前記第１アンテナ部に接続された可変型のコンデンサを備え、前記制御部は、前記コンデンサの容量を調整することにより、前記第１アンテナ部の高次の共振周波数が前記第２使用周波数帯から離間するように前記調整部により前記第１アンテナ部の共振周波数を調整する構成が好ましい。
【発明の効果】
【００１７】
本発明によれば、第１アンテナ部の使用周波数帯の高次の副次共振点が、第２アンテナ部の使用周波数帯に重ならないようにできる新たな構成を提供することができる。
【図面の簡単な説明】
【００１８】
【図１】携帯電話装置の外観斜視図である。
【図２】操作部側筐体部の一部を分解した斜視図である。
【図３】携帯電話装置の機能ブロック図である。
【図４】アンテナエレメント部のアンテナ線を分岐（分割）するときの様子についての説明に供する図である。
【図５】ＲＦＩＤ用アンテナ部周辺の機能ブロック図である。
【図６】アンテナの共振周波数を調整する際の動作について説明に供する第１の図である。
【図７】アンテナの共振周波数を調整する際の動作について説明に供する第２の図である。
【図８】ＲＦＩＤ用アンテナ部の高次共振周波数を示す図である。
【図９】ＲＦＩＤ用アンテナ部の高次共振周波数を示す図である。
【図１０】ＲＦＩＤ用アンテナ部の高次共振周波数を示す図である。
【図１１】ＲＦＩＤ用アンテナ部の共振周波数の調整後のＶＳＷＲの測定結果を示す図である。
【図１２】ＲＦＩＤ用アンテナ部の共振周波数の調整前のＶＳＷＲの測定結果を示す図である。
【発明を実施するための形態】
【００１９】
以下、本発明の実施の形態について説明する。図１は、本発明に係る携帯端末の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でも良い。
【００２０】
携帯電話装置１は、図１に示すように、操作部側筐体部２と、表示部側筐体部３とを備えて構成される。操作部側筐体部２は、表面部１０に、操作ボタン群１１と、携帯電話装置１の使用者が通話時に発した音声が入力される音声入力部１２とを備えて構成される。操作ボタン群１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５とから構成されている。
【００２１】
また、表示部側筐体部３は、表面部２０に、各種情報を表示するためのディスプレイ２１と、通話の相手側の音声を出力する音声出力部２２とを備えて構成されている。
また、上述した操作ボタン群１１、音声入力部１２、ディスプレイ２１及び音声出力部２２は、詳細は後述する処理部７１の一部を構成している。
【００２２】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）と、操作部側筐体部２と表示部側筐体部３とを折り畳んだ状態（折畳み状態）との間を相対移動可能に構成される。
【００２３】
また、図２は、操作部側筐体部２の一部を分解した斜視図を示している。操作部側筐体部２は、図２に示すように、基板４０と、ＲＦＩＤ用アンテナ部４１と、リアケース部４２と、充電池４３と、充電池カバー４４とによって構成されている。
【００２４】
基板４０は、詳細は後述する、所定の演算処理を行う制御部７２や、ＲＦＩＤチップ５２が実装されている。制御部７２は、操作ボタン群１１がユーザにより操作されたときに、所定の信号が供給され、所定の機能を発揮する。
【００２５】
ＲＦＩＤ用アンテナ部４１は、基板４０に実装されているＲＦＩＤチップ５２と、後述する調整部５３と協調して動作することによって、第１の使用周波数帯（例えば、１３．５６ＭＨｚを中心周波数とする周波数帯）を利用して、外部機器と磁界通信を行う。ＲＦＩＤチップ５２は、ＲＦＩＤ用アンテナ部４１を介して送受信される情報に対して所定の処理を行う。なお、以下では、ＲＦＩＤ用アンテナ部４１と、ＲＦＩＤチップ５２と、調整部５３から構成される処理部をＲＦＩＤ処理部５１という。
【００２６】
また、本実施の形態では、ＲＦＩＤチップ５２は、リアケース部４２と基板４０とが組み合わされたときに、リアケース部４２に収納されているＲＦＩＤ用アンテナ部４１の接続端子４１ａと最短距離で接続されるように、接続端子４１ａと対向する基板４０上の位置に実装されているものするが、特にこの形態に限られない。
【００２７】
リアケース部４２は、ヒンジ機構４を固定するヒンジ機構固定部４２Ａと、第１の使用周波数帯よりも高い周波数帯である第２の使用周波数帯（例えば、８００ＭＨｚを中心周波数とする周波数帯）により通信を行うメインアンテナ部６２を収納するメインアンテナ収納部４２Ｂと、充電池４３を格納する充電池格納部４２Ｃと、ＲＦＩＤ用アンテナ部４１を固定するＲＦＩＤ用アンテナ固定部４２Ｄとを備えている。
【００２８】
また、図３は、携帯電話装置１の機能を示す機能ブロック図である。携帯電話装置１は、図３に示すように、ＲＦＩＤ処理部５１と、通信部６１と、処理部７１とを備えている。
【００２９】
ＲＦＩＤ処理部５１は、上述したように、第１の使用周波数帯（例えば、１３．５６ＭＨｚ）により外部機器と磁界通信を行うＲＦＩＤ用アンテナ部４１と、ＲＦＩＤチップ５２と、調整部５３とにより構成される。
【００３０】
ＲＦＩＤ用アンテナ部４１は、例えば、ＰＥＴ（ｐｏｌｙｅｔｈｙｌｅｎｅ  ｔｅｒｅｐｈｔｈａｌａｔｅ）材料からなるシート上に、所定の直径（例えば、０．１ｍｍ程度）を有する銅線等が、所定の大きさのループを描くように複数回渦巻き状に巻かれてコイルを形成してアンテナエレメントが構成され、一定条件下に、外部機器との間で第１の使用周波数帯の信号を送受信する。ここで、一定条件とは、例えば、調整部５３によって、所定の信号を送受信できるようにチューニングされることを意味している。
【００３１】
ＲＦＩＤチップ５２は、給電部５４と、電源回路部５５と、ＲＦ回路部５６と、制御部５７と、メモリ５８とを備えている。
電源回路部５５は、例えば、ＤＣ−ＤＣコンバータにより構成されており、所定の電源電圧を生成する回路部である。ＲＦ回路部５６は、ＲＦＩＤ用アンテナ部４１により通信される信号に対して変調処理又は復調処理等の信号処理を行う。制御部５７は、所定の演算処理を行う。メモリ５８は、所定のデータが格納されている。
【００３２】
ここで、ＲＦＩＤ処理部５１の動作について説明する。
ＲＦＩＤ用アンテナ部４１は、外部に設置されているリーダ・ライタ装置（外部機器）に対して、所定距離まで接近したときに、当該外部機器から送信される信号（第１の使用周波数帯であるキャリア周波数（例えば、１３．５６ＭＨｚ）により変調されている）を受信する。なお、調整部５３は、外部機器から送信される信号がＲＦＩＤ用アンテナ部４１を介してＲＦ回路部５６に供給されるように、リアクタンスを適宜可変し、所定の調整（チューニング）を行う。
【００３３】
電源回路部５５は、充電池４３から供給された電圧に基づいて所定の電圧を生成し、ＲＦ回路部５６と、制御部５７と、メモリ５８とに供給する。また、ＲＦ回路部５６と、制御部５７と、メモリ５８とは、電源回路部５５から所定の電圧が供給されることにより停止状態から起動状態に移行する。
【００３４】
ＲＦ回路部５６は、ＲＦＩＤ用アンテナ部４１により受信した信号に対して復調等の信号処理を行い、処理後の信号を制御部５７に供給する。
制御部５７は、ＲＦ回路部５６から供給された信号に基づいて、メモリ５８にデータを書き込む、又は、メモリ５８からデータを読み出す。制御部５７は、メモリ５８からデータを読み出した場合には、当該データをＲＦ回路部５６に供給する。ＲＦ回路部５６は、メモリ５８から読み出されたデータに対して変調等の信号処理を行い、その変調された信号を、所定の搬送波（例えば、１３．５６ＭＨｚを中心周波数とする搬送波）に重畳させてＲＦＩＤ用アンテナ部４１を介して外部機器に送信する。
【００３５】
また、ＲＦＩＤ処理部５１は、充電池４３から供給された電圧に基づいて駆動する能動型（Ａｃｔｉｖｅ）であるとして説明を行ったが、これに限られず、外部機器によって発せられている電磁波を利用して電磁誘導作用により起電力が発生する、いわゆる受動型（Ｐａｓｓｉｖｅ）の誘導電磁界方式（電磁誘導方式）や、受動型の相互誘導方式（電磁結合方式）や、放射電磁界方式（電波方式）等であっても良い。また、ＲＦＩＤ処理部５１のアクセス方式として、リード・ライト型であるものとして説明を行ったが、これに限られず、リードオンリー型や、ライトワンス型等であっても良い。
【００３６】
また、通信部６１は、図３に示すように、メインアンテナ部６２と、通信処理部６３とを備える。メインアンテナ部６２は、第１の使用周波数帯よりも高い周波数帯である第２の使用周波数帯により基地局と通信を行うアンテナ部である。通信処理部６３は、メインアンテナ部６２により受信した信号に対して変調処理を行ったり、メインアンテナ部６２を介して外部に送信する信号に復調処理を行う。また、通信部６１は、充電池４３から電源の供給を受けている。
【００３７】
メインアンテナ部６２は、通信処理部６３と協調して動作することにより、第２の使用周波数帯（例えば、８００ＭＨｚを中心周波数とする周波数帯）で基地局と通信を行う。なお、本実施の形態では、第２の使用周波数帯として、８００ＭＨｚを中心周波数とする周波数帯とするが、これ以外の周波数帯であっても良い。また、メインアンテナ部６２は、第２の使用周波数帯の他に、第３の使用周波数帯（例えば、２ＧＨｚを中心周波数とする周波数帯）にも対応できる、いわゆるデュアルバンド対応型による構成であっても良いし、さらに、第４の使用周波数帯以上にも対応できる複数バンド対応型により構成されていても良い。
【００３８】
通信処理部６３は、メインアンテナ部６２により受信した信号を復調処理し、処理後の信号を処理部７１に供給し、また、処理部７１から供給された信号を変調処理し、処理後の信号を所定の搬送波（例えば、８００ＭＨｚを中心周波数とする搬送波）に重畳させてメインアンテナ部６２を介して基地局に送信する。
【００３９】
また、処理部７１は、図３に示すように、操作ボタン群１１と、音声入力部１２と、ディスプレイ２１と、音声出力部２２と、所定の演算処理を行う制御部７２と、所定のデータが格納されているメモリ７３と、所定の音処理を行う音処理部７４と、所定の画像処理を行う画像処理部７５と、被写体を撮像するカメラモジュール７６と、着信音等が出力されるスピーカ７７とを備えている。また、処理部７１は、充電池４３から電源の供給を受けている。なお、携帯電話装置１は、図３に示すように、制御部５７と制御部７２とが、信号線Ｓで結ばれている。したがって、ＲＦＩＤ処理部５１により処理された情報は、信号線Ｓと制御部７２を介して画像処理部７５に供給される。また、画像処理部７５により処理された情報は、ディスプレイ２１に供給されて表示される。
【００４０】
また、図２に示すように、ＲＦＩＤ用アンテナ部４１と、メインアンテナ部６２とは、近接（例えば、数ｍｍ）して配置されている。このように、二つのアンテナが近接配置されていると、干渉による問題が生じる。
【００４１】
具体的には、ＲＦＩＤ用アンテナ部４１は、使用周波数帯（１３．５６ＭＨｚ）以外に低次及び高次に周期的に副次共振点を有する。特に、高次の副次共振点（以下、高次共振点と呼ぶ。）がメインアンテナ部６２の使用周波数帯（８００ＭＨｚ）に重なってしまうと、メインアンテナ部６２の利得が劣化してしまう。
【００４２】
本発明に係る携帯電話装置１は、ＲＦＩＤ用アンテナ部４１の有する高次共振点によるメインアンテナ部６２への干渉を防ぎ、メインアンテナ部６２の利得劣化を低減する機能を有している。
【００４３】
ここで、上述した機能を発揮するための制御部５７の動作について詳細に説明する。上述したように、携帯電話装置１は、ＲＦＩＤ用アンテナ部４１（第１アンテナ部）と、メインアンテナ部６２（第２アンテナ部）と、調整部５３と、制御部５７を有する。
【００４４】
ＲＦＩＤ用アンテナ部４１は、操作部側筐体部２に配置され、第１使用周波数帯（例えば、１３．５６ＭＨｚ）の信号を送受信する。メインアンテナ部６２は、同様に、操作部側筐体部２に配置され、第１使用周波数帯よりも高い周波数帯である第２使用周波数帯（例えば、８００ＭＨｚ）の信号を送受信する。調整部５３は、ＲＦＩＤ用アンテナ部４１の共振周波数を調整する。
【００４５】
制御部５７は、第１使用周波数帯の信号の受信感度に基づいてＲＦＩＤ用アンテナ部４１のリアクタンス値を特定すると共に、特定されたリアクタンス値に基づいてＲＦＩＤ用アンテナ部４１の高次の共振周波数が第２使用周波数帯から離間するように調整部５３によりＲＦＩＤ用アンテナ部４１の共振周波数を調整する。なお、制御部５７による動作は、信号線Ｓで結ばれている制御部７２によって行われても良い。
【００４６】
詳細は、後述するが、制御部５７は、特定されたリアクタンス値（Ｌ値）に基づいて、所定のテーブルを参照し、ＲＦＩＤ用アンテナ部４１の高次の共振周波数が第２使用周波数帯から離間するように調整部５３によりＲＦＩＤ用アンテナ部４１の共振周波数を調整する。
【００４７】
このように構成されるので、携帯電話装置１は、ＲＦＩＤ用アンテナ部４１の使用周波数帯（第１使用周波数帯）の高次の副次共振点が、メインアンテナ部６２の使用周波数帯（第２使用周波数帯）に重ならないようにできるので、異なる周波数帯域を有する複数のアンテナが近接配置されても、アンテナ利得の劣化が低減されるため、通信品質を維持しながら筐体内のスペースを有効活用することができる。
【００４８】
また、制御部５７は、メインアンテナ部６２により第２使用周波数帯の信号の受信を行ったときの受信感度が所定値を下回った場合、ＲＦＩＤ用アンテナ部４１の高次の共振周波数が第２使用周波数帯から離間するように調整部５３によりＲＦＩＤ用アンテナ部４１の共振周波数を調整する構成が好ましい。
【００４９】
具体的には、制御部５７は、ＲＦＩＤ用アンテナ部４１の共振周波数を調整するタイミングとして、メインアンテナ部６２を使用して音声通話を行っているときに、受信感度が所定値を下回った場合、ＲＦＩＤ用アンテナ部４１の高次の共振周波数が影響していると推定して、調整部５３によりＲＦＩＤ用アンテナ部４１の共振周波数を調整する。
【００５０】
このように構成されるので、携帯電話装置１は、メインアンテナ部６２の受信感度が所定値を下回ったことを条件として、調整部５３によりＲＦＩＤ用アンテナ部４１の共振周波数を調整するので、不必要な調整に起因する処理負担を軽減しつつ、メインアンテナ部６２のアンテナ利得の劣化を低減することができる。
【００５１】
＜ＲＦＩＤ用アンテナ部４１の構成＞
ここで、ＲＦＩＤ用アンテナ部４１及びその周辺部の詳細な構成について説明する。ＲＦＩＤ用アンテナ部４１は、図４に示すように、制御部５７の制御にしたがって、ループ状に巻かれたアンテナ線Ａを所定の周回数で分離する分離部１０１を有している。
【００５２】
ＲＦＩＤ用アンテナ部４１は、ループ状に巻かれたアンテナ線Ａに、共振用のコンデンサＲＣ１，ＲＣ２，ＲＣ３と、共振周波数調整用の回路ＲＣ４が接続されて構成される。なお、本実施例では、共振用のコンデンサは、所定の容量を有するコンデンサＲＣ１，ＲＣ２，ＲＣ３で構成され、共振周波数調整用の回路ＲＣ４は、共振周波数を調整可能な可変コンデンサにより構成されるものとするが、これに限られない。また、共振周波数調整用の回路ＲＣ４は、調整部５３に相当する機能を発揮する。
【００５３】
ここで、アンテナ線Ａを３ターンで使用する場合には、制御部５７は、分離部１０１の端子ａ１と端子ｂ１が接触し、端子ａ２と端子ｂ２が接触するように切り替え制御することによりアンテナ線Ａを３ターンに切り替える。また、制御部５７は、分離部１０１の端子ａ３と端子ｂ３が接触し、端子ａ４と端子ｂ４が接触するように切り替えて、共振用のコンデンサＲＣ１がアンテナ線Ａに接続されるように切り替え、また、分離部１０１の端子ａ９と端子ｂ９が接触し、端子ａ１０と端子ｂ１０が接触するように切り替えて、共振周波数調整用の回路ＲＣ４がアンテナ線Ａに接続されるように切り替える（図４（ａ）を参照）。
【００５４】
なお、共振用のコンデンサＲＣ２，ＲＣ３がアンテナ線Ａに接続されないように、分離部１０１の端子ａ５と端子ｂ５を非接触にし、端子ａ６と端子ｂ６を非接触にし、端子ａ７と端子ｂ７を非接触にし、端子ａ８と端子ｂ８を非接触にしておく。
【００５５】
つぎに、アンテナ線Ａを１ターンと２ターンで使用する場合には、制御部５７は、分離部１０１の端子ａ１と端子ｃ１が接触し、端子ｂ２と端子ｃ２が接触するように切り替え制御することによりアンテナ線Ａを１ターン（Ａ１）と２ターン（Ａ２）に切り替える。また、制御部５７は、分離部１０１の端子ａ５と端子ｂ５が接触し、端子ａ６と端子ｂ６が接触するように切り替えて、共振用のコンデンサＲＣ２がアンテナ線Ａに接続されるように切り替え、また、分離部１０１の端子ａ７と端子ｂ７が接触し、端子ａ８と端子ｂ８が接触するように切り替えて、共振用のコンデンサＲＣ３がアンテナ線Ａに接続されるように切り替える（図４（ｂ）を参照）。
【００５６】
また、アンテナ線Ａを１ターンで使用する場合には、制御部５７は、分離部１０１の端子ａ９と端子ｂ９が接触し、端子ａ１０と端子ｃ１０が接触するように切り替えて、共振周波数調整用の回路ＲＣ４がアンテナ線Ａ（Ａ１）に接続されるように切り替える（図４（ｂ）を参照）。
【００５７】
また、アンテナ線Ａを２ターンで使用する場合には、制御部５７は、分離部１０１の端子ｃ９と端子ｂ９が接触し、端子ａ１０と端子ｂ１０が接触するように切り替えて、共振周波数調整用の回路ＲＣ４がアンテナ線Ａ（Ａ２）に接続されるように切り替える。
なお、共振用のコンデンサＲＣ１がアンテナ線Ａに接続されないように、分離部１０１の端子ａ３と端子ｂ３を非接触にし、端子ａ４と端子ｂ４を非接触にしておく。
【００５８】
なお、上述では、３ターン（Ａ３）のアンテナ線Ａを１ターン（Ａ１）と２ターン（Ａ２）に切り替えると説明したが、これは一例であって、ｎターンのアンテナ線Ａをｎ−ｍターンとｍターンに切り替える構成であっても良い（但し、ｎは２以上の自然数であり、ｍは１以上の自然数である。また、ｎ＞ｍである。）。
【００５９】
また、上述のように構成されるＲＦＩＤ用アンテナ部４１のターン数を切り替えて、調整する構成について説明する。
携帯電話装置１は、図５に示すように、分離部１０１と、信号発生部１０２と、検出部１０３を備える。
【００６０】
分離部１０１は、ＲＦＩＤ用アンテナ部４１を、所定回数（例えば、３ターン）よりも少ない周回数である第１の周回数（例えば、２ターン）周回する第１のループ部と、所定回数から第１の周回数を減じて得られる周回数である第２の周回数（例えば、１ターン）周回する第２のループ部とに分離する。また、分離部１０１は、給電部５４に接続されている。
【００６１】
信号発生部１０２は、第１のループ部と第２のループ部の一方に接続され、当該接続された側のループ部から基準周波数の信号を発生させる。
検出部１０３は、第１のループ部と第２のループ部の他方に接続され、当該接続されたループ部の電気的特性を検出する。すなわち、検出部１０３は、信号発生部１０２が接続されているループ部とは異なるループ部に接続される。
【００６２】
このように構成される場合には、調整部５３は、第１のループ部と第２のループ部の他方に接続され、当該接続されたループ部の共振周波数を調整する。例えば、信号発生部１０２が第１のループ部に接続された場合には、検出部１０３と調整部５３は、第２のループ部に接続される。
【００６３】
また、制御部５７は、分離部１０１により、ＲＦＩＤ用アンテナ部４１を第１のループ部と第２のループ部に分離すると共に、信号発生部１０２により、第１のループ部と第２のループ部の一方から基準周波数の信号を発生し、かつ、検出部１０３により、第１のループ部と第２のループ部の他方の電気的特性を検出し、さらに、調整部５３により、検出部１０３の検出結果に応じて第１のループ部と第２のループ部の他方の共振周波数を調整する。
【００６４】
ここで、共振周波数の調整の処理について具体的に説明する。分離部１０１は、制御部５７の制御にしたがって、ＲＦＩＤ用アンテナ部４１を第１のループ部と第２のループ部に分離する。
【００６５】
制御部５７は、第１のループ部に信号発生部１０２を接続し、第２のループ部に検出部１０３と調整部５３を接続する。
信号発生部１０２は、制御部５７の制御にしたがって基準信号を発生する。第１のループ部は、信号発生部１０２により発生された基準信号に基づいて、所定の周波数の電波を外部に放射する。
【００６６】
そして、第２のループ部は、第１のループ部により放射された電波を受信する。検出部１０３は、第２のループ部により受信した電波に基づく電圧値を検出する。
調整部５３は、制御部５７の制御にしたがって、検出部１０３によって検出された電圧値が最大になるように、共振周波数を調整する。
なお、上述では、第１のループ部に信号発生部１０２が接続され、第２のループ部に検出部１０３と調整部５３が接続される構成としたが、これに限られず、第２のループ部に信号発生部１０２が接続され、第１のループ部に検出部１０３と調整部５３が接続される構成であっても良い。
【００６７】
このようにして、携帯電話装置１は、ＲＦＩＤ用アンテナ部４１を所定の条件下に、第１のループ部と第２のループ部に分離し、信号発生部１０２が接続されている一方のループ部から所定の周波数の電波を放射し、放射された電波を他方のループ部により受信し、他方のループ部に接続されている検出部１０３により電気的特性（例えば、電圧や受信強度等）を検出し、この電気的特性が最大値となるように調整部５３により調整することにより、分離された他方のループ部の共振周波数の調整を好適に行うことができる。
【００６８】
また、携帯電話装置１は、図５に示すように、操作を検出する操作検出部１０４を有する構成が好ましい。このような構成の場合には、制御部５７は、操作検出部１０４に対して所定の操作が行われると、分離部１０１により、ＲＦＩＤ用アンテナ部４１を第１のループ部と第２のループ部に分離すると共に、信号発生部１０２により、第１のループ部と第２のループ部の一方から基準周波数の信号を発生し、かつ、検出部１０３により、第１のループ部と第２のループ部の他方の電気的特性（例えば、電圧や受信強度等）を検出し、さらに、調整部５３により、検出部１０３の検出結果に応じて第１のループ部と第２のループ部の他方の共振周波数を調整する。
【００６９】
ここで、所定の操作とは、ＲＦＩＤ処理部５１の機能の発揮を促す操作である。例えば、携帯電話装置１は、省電力化やセキュリティ性の確保等のために、通常状態においては、ＲＦＩＤ処理部５１の機能が抑制されており、ユーザによる所定の操作を契機（トリガー）として、ＲＦＩＤ処理部５１の機能を発揮する構成であっても良い。また、携帯電話装置１は、所定の外部機器に近接操作されたことを契機として、ＲＦＩＤ処理部５１の機能を発揮する構成であっても良い。
【００７０】
したがって、携帯電話装置１は、所定の操作を操作検出部１０４により検出したことを契機として、ＲＦＩＤ用アンテナ部４１を分離し、第１のループ部と第２のループ部の共振周波数を調整するので、好適な共振周波数で外部機器と通信を行うことができる。
【００７１】
また、制御部５７は、定期的に、分離部１０１により、ＲＦＩＤ用アンテナ部４１を第１のループ部と第２のループ部に分離すると共に、信号発生部１０２により、第１のループ部と第２のループ部の一方から基準周波数の信号を発生し、かつ、検出部１０３により、第１のループ部と第２のループ部の他方の電気的特性（例えば、電圧や受信強度等）を検出し、さらに、調整部５３により、検出部１０３の検出結果に応じて第１のループ部と第２のループ部の他方の共振周波数を調整する構成が好ましい。
【００７２】
ここで、携帯電話装置１は、通信の待ち受け状態の場合には、定期的に基地局に対して着呼の確認や、メール着信等の確認を定期的に行っている。制御部５７は、この定期的な確認処理に乗じてＲＦＩＤ用アンテナ部４１を第１のループ部と第２のループ部に分離し、上述したように、第１のループ部と第２のループ部の共振周波数を調整する。
【００７３】
よって、携帯電話装置１は、定期的にＲＦＩＤ用アンテナ部４１を分離した第１のループ部と第２のループ部の共振周波数を好適に調整するので、安定して好適な共振周波数で外部機器と通信を行うことができる。例えば、携帯電話装置１の使用に伴い、ＲＦＩＤ用アンテナ部４１の共振周波数が多少ずれた場合であっても、適切に共振周波数が調整され、外部機器との通信が好適に維持される。
【００７４】
また、携帯電話装置１では、信号発生部１０２、検出部１０３及び調整部５３は、第１のループ部と第２のループ部の両方に接続可能に構成することが好ましい。
このように構成される場合には、制御部５７は、分離部１０１により、ＲＦＩＤ用アンテナ部４１を第１のループ部と第２のループ部に分離すると共に、信号発生部１０２により、第１のループ部と第２のループ部の両方から基準周波数の信号（例えば、電波）を発生（放射）し、かつ、検出部１０３により、第１のループ部と第２のループ部の両方の電気的特性（例えば、電圧や受信強度等）を検出し、その後、調整部５３により、検出部１０３の検出結果に応じて第１のループ部と第２のループ部の両方の共振周波数を調整する。
【００７５】
ここで、具体的な動作について説明する。制御部５７は、所定の条件下に、第１のループ部に信号発生部１０２を接続し、第２のループ部に検出部１０３と調整部５３を接続する。信号発生部１０２は、制御部５７の制御にしたがって基準信号を発生する。第１のループ部は、信号発生部１０２により発生された基準信号に基づいて、所定の周波数の電波を外部に放射する。
【００７６】
そして、第２のループ部は、第１のループ部により放射された電波を受信する。検出部１０３は、第２のループ部により受信した電波に基づく電圧値を検出する。
調整部５３は、制御部５７の制御にしたがって、検出部１０３によって検出された電圧値が最大になるように、共振周波数を調整する。
【００７７】
つぎに、制御部５７は、所定の条件下に、第２のループ部に信号発生部１０２を接続し、第１のループ部に検出部１０３と調整部５３を接続するように切り替える。信号発生部１０２は、制御部５７の制御にしたがって基準信号を発生する。第２のループ部は、信号発生部１０２により発生された基準信号に基づいて、所定の周波数の電波を外部に放射する。
【００７８】
そして、第１のループ部は、第２のループ部により放射された電波を受信する。検出部１０３は、第１のループ部により受信した電波に基づく電圧値を検出する。
調整部５３は、制御部５７の制御にしたがって、検出部１０３によって検出された電圧値が最大になるように、共振周波数を調整する。
【００７９】
このようにして、携帯電話装置１は、ＲＦＩＤ用アンテナ部４１を所定の条件下に、第１のループ部と第２のループ部に分離し、信号発生部１０２を第１のループ部に接続し、検出部１０３と調整部５３を第２のループ部に接続して、調整部５３により第２ループ部の共振周波数を調整し、つぎに、信号発生部１０２を第２のループ部に接続し、検出部１０３と調整部５３を第１のループ部に接続して、調整部５３により第１ループ部の共振周波数を調整する。よって、携帯電話装置１は、第２のループ部を利用して第１のループ部の共振周波数を好適に調整し、第１のループ部を利用して第２のループ部の共振周波数を好適に調整することができる。
【００８０】
また、制御部５７は、分離部１０１による分離を解除すると共に、調整部５３により、検出部１０３により検出された第１のループ部と第２のループ部の両方の電気的特性（例えば、電圧や受信強度等）に応じてＲＦＩＤ用アンテナ部４１の共振周波数を調整する構成が好ましい。
【００８１】
このようにして、携帯電話装置１は、分離部１０１による分離を解除、つまり、ＲＦＩＤ用アンテナ部４１のターン数が所定回数（例えば、３ターン）に戻し、分離状態のときに取得した第１のループ部と第２のループ部の両方の電気的特性（例えば、電圧や受信強度等）に応じてＲＦＩＤ用アンテナ部４１の共振周波数を調整するので、ＲＦＩＤ用アンテナ部４１のターン数が所定回数のときの電気的特性を改めて測定しなくても良く、効率的にＲＦＩＤ用アンテナ部４１の共振周波数を調整することができる。
【００８２】
また、分離部１０１は、第１の周回数と第２の周回数が同一となるように、ＲＦＩＤ用アンテナ部４１を第１のループ部と第２のループ部とに分離する構成が好ましい。
【００８３】
携帯電話装置１は、例えば、ＲＦＩＤ用アンテナ部４１が所定回数として６周回数（６ターン）で構成されており、分離部１０１により、１周回数（１ターン）である第１の周回数の第１のループ部と、５周回数（５ターン）である第２の周回数の第２のループ部に分離された場合について説明する。
【００８４】
第１のループ部は、ターン数の多い第２のループ部に比して、アンテナのＱ値が高く（大きく）なるため、通信距離を伸ばすことができるが、受信できる周波数範囲が狭くなる傾向がある。また、通信距離が長い場合には、ヌル（通信不可領域のことであり、外部機器との通信が困難になる領域のこと）が生じやすくなる。
【００８５】
一方、第２のループ部は、ターン数が少ない第１のループ部に比して、アンテナのＱ値が低く（小さく）なるため、広い周波数範囲の信号を受信することができるが、通信距離が短くなる傾向がある。
【００８６】
そこで、携帯電話装置１は、分離部１０１により、第１の周回数と第２の周回数が同一（本実施例では、共に３周回数（３ターン）で構成される）となるように、ＲＦＩＤ用アンテナ部４１を第１のループ部と第２のループ部とに分離する。よって、携帯電話装置１は、第１のループ部と第２のループ部のアンテナのＱ値を平均的な値に設定し、ヌルの発生を抑制しつつ一定の通信距離で通信を行うことができる。
【００８７】
また、携帯電話装置１は、分離部１０１により分離した第１のループ部と第２のループ部の共振周波数を、上述したように調整するので、好適な共振周波数により外部機器と通信を行うことができる。
【００８８】
調整部５３は、上述したように、ＲＦＩＤ用アンテナ部４１に接続された可変型のコンデンサ（共振周波数調整用の回路ＲＣ４）により構成されている。制御部５７は、調整部５３の容量を調整することにより、ＲＦＩＤ用アンテナ部４１の高次の共振周波数がメインアンテナ部６２の使用周波数帯から離間するようにＲＦＩＤ用アンテナ部４１の共振周波数を調整する。
【００８９】
このように構成されるので、携帯電話装置１は、ＲＦＩＤ用アンテナ部４１の使用周波数帯（第１使用周波数帯）の高次の副次共振点が、メインアンテナ部６２の使用周波数帯（第２使用周波数帯）に重ならないようにできるので、異なる周波数帯域を有する複数のアンテナが近接配置されても、アンテナ利得の劣化が低減されるため、通信品質を維持することができる。
【００９０】
また、携帯電話装置１は、工場出荷後に、当初設定していたＲＦＩＤ用アンテナ部４１の使用周波数帯が一定範囲内で変化する場合には、まず、ＲＦＩＤ用アンテナ部４１の共振周波数を当初設定していた値に戻し、その後、高次の副次共振点がメインアンテナ部６２の使用周波数帯に重ならないように調整するような構成であっても良い。
【００９１】
＜共振周波数の具体的な調整方法＞
つぎに、ＲＦＩＤ用アンテナ部４１が分離部１０１によって、アンテナ線Ａが１ターン（Ａ１）で構成されるアンテナ（図６（ａ）を参照）と、２ターン（Ａ２）で構成されるアンテナ（図６（ｂ）を参照）に分割し、一方のアンテナにより他方のアンテナの共振周波数を調整する際の具体的な動作について説明する。
【００９２】
ここで、アンテナの共振周波数ｆ０は、下記式で表される。
ｆｏ＝１／２π（√（ＬＣ））・・・（１）
ただし、Ｌは、アンテナ線Ａのインダクタンス値であり、Ｃは、アンテナ線Ａに接続されている共振用コンデンサＲＣ１，ＲＣ２，ＲＣ３と共振周波数調整用の回路ＲＣ４（コンデンサ）の合成容量である。
【００９３】
まず、１ターン（Ａ１）で構成されるアンテナにより、２ターン（Ａ２）で構成されるアンテナの共振周波数を調整する際の動作について説明する。
１ターン（Ａ１）で構成されるアンテナ側には、図６（ａ）に示すように、基準信号を発生する信号発生部１０２と、共振用のコンデンサＲＣ３と、共振周波数調整用の回路ＲＣ４とを接続する。また、２ターン（Ａ２）で構成されるアンテナ側には、図６（ｂ）に示すように、検出部１０３と、共振用のコンデンサＲＣ２と、共振周波数調整用の回路ＲＣ４とを接続する。なお、本実施例では、共振周波数調整用の回路ＲＣ４は、適宜切り替えることによって、１ターン（Ａ１）で構成されるアンテナ側と、２ターン（Ａ２）で構成されるアンテナ側とで共用されるものとするが、それぞれ専用の共振周波数調整用の回路を備える構成であっても良い。
【００９４】
信号発生部１０２は、制御部５７の制御にしたがって基準信号を発生する。１ターン（Ａ１）で構成されるアンテナは、信号発生部１０２により発生された基準信号に基づいて、所定の周波数（例えば、１３．５６ＭＨｚ）の電波を外部に放射する。
そして、２ターン（Ａ２）で構成されるアンテナは、１ターン（Ａ１）で構成されるアンテナにより放射された電波を受信する。検出部１０３は、２ターン（Ａ２）で構成されるアンテナにより受信した電波に基づく電圧値を検出する。
【００９５】
制御部５７は、検出部１０３によって検出された電圧値が最大になるように、２ターン（Ａ２）で構成されるアンテナ側に接続されている共振周波数調整用の回路ＲＣ４の容量値を可変させる。また、制御部５７は、検出部１０３によって検出された電圧値が最大となる共振周波数調整用の回路ＲＣ４の容量値に基づいて、２ターン（Ａ２）で構成されるアンテナのＬ２値を（２）式から算出する。
Ｌ２＝１／４π２ｆ０２Ｃ・・・（２）
ただし、Ｃは、２ターン（Ａ２）で構成されるアンテナ側に接続されている共振用のコンデンサＲＣ２と、共振周波数調整用の回路ＲＣ４の容量を合成した容量値である。
【００９６】
つぎに、２ターン（Ａ２）で構成されるアンテナにより、１ターン（Ａ１）で構成されるアンテナの共振周波数を調整する際の動作について説明する。
１ターン（Ａ１）で構成されるアンテナ側には、図７（ａ）に示すように、検出部１０３と、共振用のコンデンサＲＣ３と、共振周波数調整用の回路ＲＣ４とを接続する。また、２ターン（Ａ２）で構成されるアンテナ側には、図７（ｂ）に示すように、基準信号を発生する信号発生部１０２と、共振用のコンデンサＲＣ２と、共振周波数調整用の回路ＲＣ４とを接続する。なお、本実施例では、共振周波数調整用の回路ＲＣ４は、適宜切り替えることによって、１ターン（Ａ１）で構成されるアンテナ側と、２ターン（Ａ２）で構成されるアンテナ側とで共用されるものとするが、それぞれ専用の共振周波数調整用の回路を備える構成であっても良い。
【００９７】
信号発生部１０２は、制御部５７の制御にしたがって基準信号を発生する。２ターン（Ａ２）で構成されるアンテナは、信号発生部１０２により発生された基準信号に基づいて、所定の周波数（例えば、１３．５６ＭＨｚ）の電波を外部に放射する。
そして、１ターン（Ａ１）で構成されるアンテナは、２ターン（Ａ２）で構成されるアンテナにより放射された電波を受信する。検出部１０３は、１ターン（Ａ１）で構成されるアンテナにより受信した電波に基づく電圧値を検出する。
【００９８】
制御部５７は、検出部１０３によって検出された電圧値が最大になるように、１ターン（Ａ１）で構成されるアンテナ側に接続されている共振周波数調整用の回路ＲＣ４の容量値を可変させる。また、制御部５７は、検出部１０３によって検出された電圧値が最大となる共振周波数調整用の回路ＲＣ４の容量値に基づいて、１ターン（Ａ１）で構成されるアンテナのＬ１値を（３）式から算出する。
Ｌ１＝１／４π２ｆ０２Ｃ・・・（３）
ただし、Ｃは、１ターン（Ａ１）で構成されるアンテナ側に接続されている共振用のコンデンサＲＣ３の容量と、共振周波数調整用の回路ＲＣ４の容量を合成した容量値である。
【００９９】
また、アンテナが３ターンで構成される場合には、制御部５７は、（２）式により算出したＬ２と（３）式で算出したＬ１とにより合成したＬを算出することにより（（４）式を参照）、３ターンで構成されるアンテナの共振周波数を調整する。
Ｌ＝Ｌ２＋Ｌ３・・・（４）
また、制御部５７は、アンテナが３ターンで構成される場合における共振用のコンデンサＲＣ１の容量と、共振周波数調整用の回路ＲＣ４の容量の合成した容量値を、（１）式と（４）式により共振周波数ｆ０が所定の周波数（例えば、１３．５６ＭＨｚ）になるように共振周波数調整用の回路ＲＣ４の容量を可変させることにより算出する。
【０１００】
このようにして、携帯電話装置１は、１ターン（Ａ１）で構成されるアンテナと、２ターン（Ａ２）で構成されるアンテナと、３ターンで構成されるアンテナの共振周波数をそれぞれ調整することができる。
【０１０１】
＜高次共振周波数の影響を低減する方法＞
つぎに、メインアンテナ部６２へのＲＦＩＤ用アンテナ部４１の高次共振周波数の影響を低減する具体的な方法について説明する。
なお、本実施例では、ＲＦＩＤ用アンテナ部４１は、所定の直径を有する銅線等が、所定の大きさのループを描くように３回転（ターン）程度渦巻き状に巻かれてコイルを形成しているものとする。また、本実施例では、ＲＦＩＤ用アンテナ部４１のターン数は、３ターンとして説明するが、これに限られず、２ターンでも良いし、４ターンでも良いし、その他のターン数であっても良い。
【０１０２】
メインアンテナ部６２を用いてＣＤＭＡの通信を行う場合、ＣＤＭＡで使用する帯域の一つには、次の周波数帯がある。
受信周波数帯：８４３〜８４６ＭＨｚ、８６０〜８７０ＭＨｚ
送信周波数帯：８９８〜９０１ＭＨｚ、９１５〜９２５ＭＨｚ
ＣＤＭＡ方式の通信は、ＦＤＤ方式（周波数分割複信方式）で通信を行うため、例えば、８４３ＭＨｚで受信している場合には、同時に８９８ＭＨｚで送信を行う。したがって、ＲＦＩＤ用アンテナ部４１の高次共振周波数がＣＤＭＡ通信周波数に当たらない、すなわち影響を受けないようにするには、８４３ＭＨｚと８９８ＭＨｚの両方の周波数を避けるようにＲＦＩＤ用アンテナ部４１の共振周波数を設定する必要がある。
【０１０３】
ここで、ＲＦＩＤ用アンテナ部４１を３ターンで使用し、アンテナのＬ値が（４）式により３μＨと算出され、共振周波数が１３．５４８ＭＨｚに設定したとすると、共振用のコンデンサの容量（共振用のコンデンサＲＣ１，ＲＣ２，ＲＣ３と、共振周波数調整用の回路ＲＣ４の合成容量）は、（１）式より約４６ｐＦになる。
このときの、ＲＦＩＤ用アンテナ部４１の６０次〜６９次までの高次共振周波数は、図８に示すような特定の周波数に現れる。
【０１０４】
図８に示すように、６４次及び６８次の周波数は、上述したＣＤＭＡで使用する受信周波数帯「８６０〜８７０ＭＨｚ」と送信周波数帯「９１５〜９２５ＭＨｚ」にそれぞれ当ることになる。したがって、携帯電話装置１は、受信周波数帯「８６０〜８７０ＭＨｚ」と送信周波数帯「９１５〜９２５ＭＨｚ」でメインアンテナ部６２を使って通信を行う場合に、共振用のコンデンサの容量を変更する。
【０１０５】
また、共振用のコンデンサの容量を変える場合、容量値をできるだけ小さくした方が、ＲＦＩＤ用アンテナ部４１の共振周波数が上がり、高次共振周波数の間隔が広くなるため、メインアンテナ部６２の送受信に対する影響を避ける上で有利になる。
【０１０６】
携帯電話装置１は、共振用のコンデンサＲＣ１，ＲＣ２，ＲＣ３と、共振周波数調整用の回路ＲＣ４のそれぞれを分離部１０１で切り替えられる構成にしているため、共振用のコンデンサに可能な限り小さな容量（例えば、１ｐＦ）を設定しておけば、その容量まで共振用のコンデンサの容量を下げることができる。
【０１０７】
例えば、共振用のコンデンサの容量を１．５ｐＦにした場合には、ＲＦＩＤ用アンテナ部４１の共振周波数ｆｏは、７５．０２６ＭＨｚになる。また、ＲＦＩＤ用アンテナ部４１の５次〜１４次までの高次共振周波数は、図９に示す周波数になる。
【０１０８】
これより、受信周波数帯「８６０〜８７０ＭＨｚ」と送信周波数帯「９１５〜９２５ＭＨｚ」でメインアンテナ部６２を使って通信を行う場合には、ＲＦＩＤ用アンテナ部４１の影響は無くなる。
【０１０９】
また、図９に示すように、携帯電話装置１は、受信周波数帯「８４３〜８４６ＭＨｚ」と送信周波数帯「８９８〜９０１ＭＨｚ」でメインアンテナ部６２を使って通信を行う場合、ＲＦＩＤ用アンテナ部４１の１２次の周波数が当ることになるので、共振用のコンデンサの容量を１ｐＦに設定することで、ＲＦＩＤ用アンテナ部４１の影響を与えないようにすることができる（図１０を参照）。
【０１１０】
このようにして、携帯電話装置１は、メインアンテナ部６２で通信する周波数帯によって、ＲＦＩＤ用アンテナ部４１の共振用コンデンサの容量を変化させるので、ＲＦＩＤ用アンテナ部４１の高次共振周波数の影響をメインアンテナ部６２に与えないようにすることができる。
【０１１１】
また、携帯電話装置１は、ＲＦＩＤ用アンテナ部４１の共振周波数の変化（調整）を、メインアンテナ部６２において通信を行う場合に使用される周波数帯に応じて行うので、メインアンテナ部６２で通信を行わない場合には、ＲＦＩＤ用アンテナ部４１の共振周波数は変化（調整）せずにＲＦＩＤ用の共振周波数に合わせておいても良い。したがって、携帯電話装置１は、いつでもＲＦＩＤの機能が使用可能な状態にある。
【０１１２】
また、図１１には、本実施例の方法によりＲＦＩＤ用アンテナ部４１の共振周波数を調整した後において、５００ＭＨｚ〜２．５ＧＨｚの周波数によりＶＳＷＲ（Ｖｏｌｔａｇｅ  Ｓｔａｎｄｉｎｇ  Ｗａｖｅ  Ｒａｔｉｏ）を測定したときの結果を示し、また、図１２には、ＲＦＩＤ用アンテナ部４１の共振周波数の調整前において、５００ＭＨｚ〜２．５ＧＨｚの周波数によりＶＳＷＲを測定したときの結果を示す。なお、測定においては、携帯電話装置１のメインアンテナ部６２の給電点に測定装置（ネットワークアナライザ）を接続して行った。また、使用周波数帯の帯域幅がＣＤＭＡで使用する受信周波数帯と送信周波数帯をカバーする８４３ＭＨｚ〜９２５ＭＨｚ（図１１及び図１２中のＡ点〜Ｂ点）と、１．９２ＧＨｚ〜２．１８ＧＨｚ（図１１及び図１２中のＣ点〜Ｄ点）の携帯電話装置を使用して測定を行った。
【０１１３】
図１１及び図１２から分かるように、ＲＦＩＤ用アンテナ部４１の共振周波数の調整前（図１２）には、８４３ＭＨｚ〜９２５ＭＨｚ（図１２中のＡ点〜Ｂ点）内にＲＦＩＤ用アンテナ部４１の高次共振点の影響が現れているが（図１２中のＸ）、ＲＦＩＤ用アンテナ部４１の共振周波数の調整後（図１１）には、８４３ＭＨｚ〜９２５ＭＨｚ（図１１中のＡ点〜Ｂ点）内にＲＦＩＤ用アンテナ部４１の高次共振点の影響が消失している。
【０１１４】
したがって、携帯電話装置１は、本実施例の方法によりＲＦＩＤ用アンテナ部４１のＬ値を変化させることで共振周波数を調整すると共に、当該調整後のＲＦＩＤ用アンテナ部４１のＬ値を変化させることで、ＲＦＩＤ用アンテナ部４１の有する高次共振点の位置を、メインアンテナ部６２で使用する周波数帯域からずらすことができるので、経年変化や落下等によってＲＦＩＤ用アンテナ部４１の共振周波数ｆ０にばらつきが生じた場合であっても、メインアンテナ部６２への影響を低減することができ、メインアンテナ部６２の利得劣化を低減することができる。
【０１１５】
また、携帯電話装置１は、上述したように、ＲＦＩＤ用アンテナ部４１の共振周波数ｆ０を所定の周波数に調整することができるので、経年変化や落下等によってＲＦＩＤ用アンテナ部４１の共振周波数ｆ０にばらつきが生じ、感度が劣化した場合でも、いつでも工場出荷時の周波数に調整することができるので、良好な感度を維持することができる。
【０１１６】
また、携帯電話装置１は、調整部５３によりＲＦＩＤ用アンテナ部４１の共振周波数を調整する際には、所定のスペック範囲内（ＲＦＩＤ用アンテナ部４１により通信が行える範囲内）で調整を行うことが好ましい。
【０１１７】
また、本実施例においては、ＲＦＩＤ用アンテナ部４１のターン数を切り替えることによって、ＲＦＩＤ用アンテナ部４１の共振周波数の調整を行うように説明したが、これに限られない。例えば、携帯電話装置１は、基準周波数（例えば、１３．５６ＭＨｚ）を放射する基準周波数放射部を備えておき、当該基準周波数放射部により放射される信号をＲＦＩＤ用アンテナ部４１で受信し、受信感度が最も良くなるように調整部５３によりＲＦＩＤ用アンテナ部４１の共振周波数を調整するような構成であっても良い。
【符号の説明】
【０１１８】
１  携帯電話装置
４１  ＲＦＩＤ用アンテナ部
５１  ＲＦＩＤ処理部
５３  調整部
５７、７２  制御部
６１  通信部
６２  メインアンテナ部
７１  処理部
１０１  分離部
１０２  信号発生部
１０３  検出部
１０４  操作検出部
【図１】
0005602484.tif 000002
【図２】
0005602484.tif 000003
【図３】
0005602484.tif 000004
【図４】
0005602484.tif 000005
【図５】
0005602484.tif 000006
【図６】
0005602484.tif 000007
【図７】
0005602484.tif 000008
【図８】
0005602484.tif 000009
【図９】
0005602484.tif 000010
【図１０】
0005602484.tif 000011
【図１１】
0005602484.tif 000012
【図１２】
0005602484.tif 000013